(57)【特許請求の範囲】
【請求項１】
建物の天井に設置される設備機器において、
前記天井に設置される本体部と、
前記本体部の上面部に沿って移動可能に支持された端子台と、
前記端子台の移動経路の回転軸に対して前記端子台と同一の本体側面方向にあり、前記端子台を移動させる操作部と、
前記操作部を把持するための把持部とを備え、
前記操作部は、
前記端子台を回転させる操作部材に備えられ、
前記操作部材は、
前記回転軸から延在する操作腕部と、
前記操作腕部に対して前記回転軸の反対側に位置し、前記端子台を収納する台座部とを更に備え、
前記操作部は、
前記回転軸を中心とし且つ前記操作腕部を半径とする円の円周方向に沿って前記台座部から延在する設備機器。
【請求項２】
前記本体部は、
前記端子台又は前記操作部材が当接することで前記端子台及び前記操作部材の回転を規制する回転規制部を備える請求項１に記載の設備機器。
【請求項３】
前記操作部材は、
前記回転規制部と当接する当接部を設け、
前記回転規制部と前記当接部とを固定する固定部材が、
前記端子台の位置を固定する請求項２に記載の設備機器。
【請求項４】
前記操作部の操作により前記端子台が移動可能な仮想軸である請求項１から請求項３のいずれかに記載の設備機器。
【発明の詳細な説明】
【技術分野】
【０００１】
本発明は、建物の室内の天井に設置される設備機器に関する。
【背景技術】
【０００２】
住宅等の建物には、空調装置や換気扇等の設備機器が配置される。例えば住宅の浴室の天井には、暖房や換気等を行う浴室空調装置が取り付けられている。
【０００３】
浴室空調装置は、空気の吸込口や吹出口を有するフロントパネルが浴室の天井パネルに露出する形態で、且つファン等が実装された本体部が天井パネルの開口部から天井裏に入り込む形態で設置される。一般的な浴室空調装置の本体上面には、リモートコントローラの配線や電源線を接続するための端子台が、予め決められた向きで設置される。
【０００４】
上述した配線や部品の点検等は、天井の浴室空調装置横の点検口から行われることが多い。排気口の位置により浴室空調装置の設置方向が決まるため、この装置本体上の端子台の設置方向も決まってしまう。そのため、排気口の位置によっては、端子台が点検口とは離れた方向に位置し、上述した作業が行い難いことがあった。
【０００５】
そこで、特許文献１には、空調装置本体からの取り外し及び取り付け位置の変更ができる端子台を備える設備機器が開示されている。特許文献２には、本体部の上面に、配線方向の異なる複数の端子台を備え、各端子台に誤配線防止用の遮蔽部材を有する設備機器が開示されている。
【先行技術文献】
【特許文献】
【０００６】
【特許文献１】特許第５２７２３５１号公報
【特許文献２】特許第５０２６２９２号公報
【発明の概要】
【発明が解決しようとする課題】
【０００７】
上記特許文献１の設備機器において、端子台の取り付け位置を変えるためにドライバーでネジを外す場合、ドライバーを天井に対して垂直に立てて使用する必要がある。しかし、天井裏の高さが低い等の理由でドライバーが天井裏に垂直に入らない場合もあり、このような場合において、作業性に欠けるという問題があった。端子台の取り付け位置や取り付け向きを変更するために空調装置本体から端子台を取り外す際、端子台に接続する配線が引っ張られてしまうという問題もあった。配線が引っ張られることにより、配線が断線する等の危険性があった。
【０００８】
特許文献２の設備機器は、複数の端子台や遮蔽部を備えるため、部品のコストが高くなるという問題があった。
【０００９】
そこで、本発明は上記課題を解決するものであって、設置後に配線の接続や点検等の作業に適した配置で端子台を使用可能な状態にし、且つ部品数を減らしてコスト削減することができる設備機器を提供することを目的とする。
【課題を解決するための手段】
【００１０】
上述の課題を解決するために採った本発明の技術手段は、次の通りである。
建物の天井に設置される設備機器において、天井に設置される本体部と、本体部の上面部に沿って移動可能に支持された端子台と、端子台の移動経路の回転軸に対して端子台と同一の本体側面方向にあり、端子台を移動させる操作部と、操作部を把持するための把持部とを備え、操作部は、端子台を回転させる操作部材に備えられ、操作部材は、回転軸から延在する操作腕部と、操作腕部に対して回転軸の反対側に位置し、端子台を収納する台座部とを更に備え、操作部は、回転軸を中心とし且つ操作腕部を半径とする円の円周方向に沿って台座部から延在する設備機器。
【００１１】
本発明の設備機器では、端子台が点検口の反対側を向いているとき、本体部を建物の天井に設置した後に、電気工事業者が天井に設けられている点検口から操作部の先端に設けられている把持部を把持して操作部を操作することで、端子台が移動してその位置及び向きが変わる。これにより、点検口の向きに合わせて端子台の位置及び向きを変えることができる。
【発明の効果】
【００１２】
本発明の設備機器によれば、建物に設置した後に、端子台を配線の接続や点検等の作業に適した配置に移動させて、使用可能な状態にすることができる。上述した作業は、一の側方向から行うことができる。また、天井が低い場合においても、上述した作業を効率よく行うことができる。単一の端子台及び端子台を移動させる部品を備えることで上述した効果が得られるので、部品数を抑え、低コストを実現できる。
【図面の簡単な説明】
【００１３】
【図１】設備機器の第１の実施形態としての浴室空調装置１００の回転前後における構成例を示す平面図である。
【図２】浴室空調装置１００の構成例を示す斜視図である。
【図３】浴室空調装置１００の構成例を示す分解斜視図である。
【図４】浴室空調装置１００の設置例を示す平面図である。
【図５】浴室空調装置１００の設置例を示す平面図である。
【図６】端子台３の構成例を示す正面図である。
【図７】端子台３における配線２の接続例を示す側面図である。
【図８】端子台３の配置例を示す側面図である。
【図９】操作部材４の構成例を示す平面図である。
【図１０】操作部材４の裏側の構成例を示す平面図である。
【図１１】回転前の浴室空調装置１００の設置動作例を示す平面図である。
【図１２】回転後の浴室空調装置１００の設置動作例を示す平面図である。
【図１３】回転後の浴室空調装置１００の設置動作例を示す斜視図である。
【図１４】回転後の浴室空調装置１００の設置動作例を示す分解斜視図である。
【図１５】第２の実施形態としての浴室空調装置２００の構成例を示す平面図である。
【図１６】回転後の浴室空調装置２００の設置動作例を示す平面図である。
【図１７】浴室空調装置２００の変形例としての浴室空調装置２００’の動作例を示す平面図である。
【図１８】操作部材６の変形例としての操作部材６”の動作例を示す平面図である。
【発明を実施するための形態】
【００１４】
以下、図面を参照しながら、本発明の設備機器の実施の形態について説明する。
【００１５】
［第１の実施形態］
図１〜図１０を参照して、本実施形態に係る浴室空調装置１００の構成例を説明する。図１に示す空調装置１００は金属ケースで覆われた本体部１０を備え、天井に設置される。浴室空調装置１００は、図４及び図５に示すように、本体部１０が浴室の天井１０４の裏に入れられる。空気の吸込口や吹出口が形成されたフロントパネル１８は、浴室の天井１０４に露出される。
【００１６】
浴室空調装置１００は、図４に示すように本体部１０に取り付けられたダクトジョイント１９に、排気ダクト１０２が接続される。排気ダクト１０２は、浴室が設置される建物の構造等によって配管経路が決められる。また、浴室の天井１０４には、浴室空調装置１００の設置作業や点検等で利用される点検口１０３が開口している。
【００１７】
このため、浴室空調装置１００は、建物の構成に応じた向きを選択して、浴室の天井１０４に設置される。例えば、図４に示す本体部１０の第１の側面１０ａを点検口１０３に向ける配置や、図５に示す本体部１０の第１の側面１０ａと反対の第２の側面１０ｂを点検口１０３に向ける配置が選択される。
【００１８】
図４に示すように第１の側面１０ａを点検口１０３に向ける場合、図１の実線に示すように、端子台３は、図６〜図８に示す電線接続口３０が設けられる接続部３１が、第１の側面１０ａ側を向き、且つ第１の側面１０ａに対して第３の側面１０ｄ側（ダクトジョイント１９の反対側）に、上面部１０ｃに対して水平方向に４５°回転した位置で固定される。この端子台３の位置を第１の位置とする。図５に示す本体部１０の第２の側面１０ｂを点検口１０３に向ける場合、図１の点線に示すように、端子台３は、図６〜図８に示す電線接続口３０が設けられる接続部３１が、第２の側面１０ｂ側を向き、且つ第２の側面１０ｂに対して第３の側面１０ｄ側に、上面部１０ｃに対して水平方向に４５°回転した位置で固定される。この端子台３の位置を第２の位置とする。端子台３は、第１の位置から上面部１０ｃに沿って約９０°回転して、第２の位置に移動することができる。
【００１９】
図２に示す本体部１０の上面部１０ｃは、カバー部材（以下、本体カバー１１とする）で覆われる。図３は、本体カバー１１を取り外した図である。上面部１０ｃには、外部からの配線２を接続して回転移動可能に支持された単一の端子台３と、端子台３を回転させる操作部４４と、回転移動動作の際に操作部４４を人手により把持される把持部５を備える。操作部４４は、端子台３を回転させる操作部材４に備えられる。上面部１０ｃは、端子台３や操作部４４等を設置する設置空間として本体部１０の天面より一段下がった平面を有する。
【００２０】
本体部１０はその内部に、図示しないファン、ファンを駆動するモータ、ファンで送風される空気を加熱するヒータ、これらを駆動する制御基板等を備える。端子台３と、図示しない制御基板等とが、配線２ａで接続される。
【００２１】
図６及び図７に示す端子台３は、複数の電線接続口３０を備える。図７に示す配線２の被覆を剥がした部分が、接続部３１側から電線接続口３０に挿入されることで、配線２が固定されて電気的な接続が行われる。
【００２２】
本例の端子台３は、３個の電線接続口３０が一列に並べて配置され、３本の配線２が並ぶ形態で接続される。端子台３は、操作部材４の台座部４１ａ上の取付部４１ｂに支持される。操作部材４は、本体カバー１１（これらの図には示さない）に、図８に示す本体部１０の上面部１０ｃに沿って水平方向に回転可能に取り付けられる。
【００２３】
操作部材４は、端子台３の取付部４１ｂが操作部材４の台座部４１ａに対して所定の角度で傾斜する形態で配置される。そのため、図８に示すように、端子台３は、３個の電線接続口３０が本体部１０の上面部１０ｃに対して斜めに取り付けられる。
【００２４】
これにより、端子台３の３個の電線接続口３０に配線２を挿入するときに、端子台３を側面から見ても、３本の配線２が上下方向にずれてそれぞれ見えるので、各電線接続口３０に配線２が挿入されたか否かを視認しやすい。
【００２５】
図９に示すように、操作部材４は、端子台３の１点の回転中心となる回転軸４２、回転軸４２から延在する操作腕部４３、端子台３を収納する台座部４１ａ、台座部４１ａから延在する操作部４４、操作部４４を人手により把持される把持部５を有する。操作部材４は、端子台３の回転の中心となる回転軸４２に対して端子台３と同一の本体側面方向である第３の側面１０ｄ側にある。台座部４１ａは、操作腕部４３に対して回転軸４２の反対側に位置する。操作部４４は、回転軸４２を中心として台座部４１ａが回転する方向で、且つ操作腕部４３を半径とする円の円周方向に沿って台座部４１ａから延在する。
【００２６】
人が操作部４４を手で持ち回転させやすいように、操作部４４の先端に位置する把持部５は、長尺状の板を長辺に対して折り曲げた形状を有する。
【００２７】
本例の回転軸４２は、その中心に凸部４２ａを有する。凸部４２ａは、図２に示す本体カバー１１の回転孔１２ａに取り付けられる。端子台３は、回転孔１２ａに取り付けられた回転軸４２の凸部４２ａを中心に回転する。
【００２８】
図９及び図１４に示すように、操作部材４は、操作部４４の先端側で把持部５の近傍に、ネジ止め用の当接部４４ａを設ける。当接部４４ａは、溝又は孔からなる係止部４４ｂを有する。図１１に示すように端子台３が第１の位置あるとき、当接部４４ａは、第２の側面１０ｂと平行に位置する。当接部４４ａは、端子台３を第１の位置に固定するために設けられる。
【００２９】
図９及び図１４に示すように、操作部４４は、台座部４１ａの把持部５側に、ネジ止め用の当接部４４ｃを設ける。当接部４４ｃは、溝又は孔からなる係止部４４ｄを有する。図１２に示すように端子台３が第２の位置にあるとき、当接部４４ｃは、第２の側面１０ｂと平行に位置する。当接部４４ｃは、端子台３を第２の位置に固定するために設けられる。
【００３０】
図９に示すように、操作部材４は、台座部４１ａと操作部４４との付け根に突出部４５を有する。突出部４５は、回転前後の端子台３の位置を固定するために設けられる。
【００３１】
図１０に示すように、操作腕部４３の裏側には、配線２ａを留める爪部４３ａ、４３ｂを備える。配線２ａは、端子台３から出て操作腕部４３の裏側を通り回転軸４２の裏側付近でまとめられ、本体部１０内の制御基板等と接続する。これにより、端子台３を回転する時に、配線２ａの引張り、噛み込み、ねじれを抑制することができる。更に、本例の端子台３の回転角度は、約９０°であるので、例えば９０°よりも大きく回転させる場合と比べて配線２ａのねじれを減らすことができる。
【００３２】
図２に示すように、本体カバー１１は、天井面１２と側面１３を有して、本体部１０の上面部１０ｃに図示しないネジ等で取り付けられる。側面１３は、本体部１０に対してダクトジョイント１９と反対側の壁をなし、本体部１０の第３の側面１０ｄよりも短く設定される。本体カバー１１は、図３に示す端子台３、操作部材４等の側面及び上面を覆う形状を有し、金属の板材で構成される。そのため、端子台３回転時における端子台３の上下（鉛直）方向の回転を規制することができる。
【００３３】
図２に示す本体カバー１１の天井面１２は、端子台３が回転する中心となる回転孔１２ａを有する。端子台３の回転中心となる操作部材４の回転軸４２の凸部４２ａは、本体カバー１１の回転孔１２ａに取り付けられる。これにより、端子台３は、回転軸４２の回転孔１２ａを中心に、上面部１０ｃに対して水平方向に回転するようになる。
【００３４】
本体カバー１１は、側面１３の左右隣に、第１の開口部１３ａ、第２の開口部１４ａを設ける。第１の開口部１３ａは、第１の位置にある端子台３の電線接続口３０に対向する。第２の開口部１４ａは、第２の位置にある端子台３の電線接続口３０に対向する。天井面１２は、回転前後の端子台３の位置に合わせて、天井面１２の側面１３に対して斜めに切り欠かれる。端子台３は、第１の開口部１３ａと第２の開口部１４ａの間では、側面１３に対向しながら回転移動する。これにより、端子台３の回転前後において、本体カバー１１を取り付けた状態で配線２の接続や点検作業等を行うことができる。一方、回転途中でのこれらの作業は、防止できる。
【００３５】
本体カバー１１は、その天井面１２に端子台３の位置を固定するための孔１１ａ、孔１１ｂを有する。図１１に示すように、孔１１ａは、端子台３が第１の位置にあるときの突出部４５の鉛直上位置に設けられる。端子台３が第１の位置にあるとき、突出部４５は、孔１１ａから突き出て係合固定される。
【００３６】
図１２に示すように、孔１１ｂは、端子台３が第２の位置にあるときの突出部４５の鉛直上位置に設けられる。端子台３が第２の位置にあるとき、突出部４５は、孔１１ｂから突き出て係合固定される。回転前後に端子台３がネジ固定されなかった場合でも、突出部４５が孔１１ａ、１１ｂと係合することにより、端子台３の位置を固定することができる。
【００３７】
本体部１０は、図２及び図１３に示すように、第２の開口部１４ａの側面１３側外縁部に、側面１３から本体カバー１１の内側に延びる回転規制部１４ｂを備える。回転規制部１４ｂは、第２の側面１０ｂ側からネジ４６が挿入されるネジ孔１４ｃを有する。
【００３８】
回転規制部１４ｂは、第２の側面１０ｂと平行に位置する。また、図１１に示すように端子台３が第１の位置にあるとき、操作部材４の当接部４４ａは、第２の側面１０ｂと平行に位置する。そのため、このとき、回転規制部１４ｂは、当接部４４ａと当接する。また、回転規制部１４ｂのネジ孔１４ｃと、当接部４４ａの係止部４４ｂとの位置が合うため、これらをネジ４６が締結することで、端子台３及び操作部材４の回転が規制される。
【００３９】
本体部１０は、図２に示すように、第２の開口部１４ａの第２の側面１０ｂ側外縁部に、天井面１２から鉛直下方向に延びる回転規制部１４ｄを備える。回転規制部１４ｄは、第２の側面１０ｂ側からネジ４６が挿入されるネジ孔１４ｅを有する。
【００４０】
回転規制部１４ｄは、第２の側面１０ｂと平行に位置する。また、図１２に示すように端子台３が第２の位置にあるとき、端子台３の台座部４１ａの当接部４４ｃは、第２の側面１０ｂと平行に位置する。そのため、このとき、回転規制部１４ｄは、当接部４４ｃと当接する。また、回転規制部１４ｄのネジ孔１４ｅと、当接部４４ｃの係止部４４ｄとの位置が合うため、これらをネジ４６が締結することで、端子台３及び操作部材４の回転が規制される。
【００４１】
＜浴室空調装置の設置動作例＞
続いて、浴室空調装置１００の設置動作について説明する。
図１１に示すように、初期状態（出荷時）の浴室空調装置１００では、端子台３が第１の位置に固定されている。突出部４５は、本体カバー１１の孔１１ａから突き出た状態である。操作部材４は、当接部４４ａが本体カバー１１の回転規制部１４ｂに当接する。端子台３の位置は、当接部４４ａの係止部４４ｂ及び回転規制部１４ｂのネジ孔１４ｃを固定部材のネジ４６が締結することで固定される。これにより、回転軸４２を支点とした回転移動動作が規制される。
【００４２】
初期状態の浴室空調装置１００の本体部１０が図４に示す向きで天井１０４裏に設置されている場合、図８に示すように、第１の側面１０ａと端子台３の対向する面とが水平方向に４５°斜めにずれて位置する。これにより、電線接続口３０が第１の側面１０ａ側から見える。その上、端子台３が台座部４１ａに対して上下方向に斜めに取り付けられるので、端子台３の３つの電線接続口３０が、第１の側面１０ａ側から見える。そのため、電線接続口３０に配線２を接続する作業を点検口１０３（図４参照）側からできる。電線接続口３０に配線２が挿入されたか否かを、電気工事業者が点検口１０３から視認できるので、点検口１０３側から電線接続口３０に配線２を確実に挿入することができる。従って、操作部材４を回転させる必要はない。また、把持部５が点検口１０３の反対側を向いているので、端子台３を移動させる動作ができないようになっている。これにより、誤操作を防止できる。
【００４３】
これに対して、図５に示すように、本体部１０の第２の側面１０ｂが点検口１０３に向けて設置されている場合、端子台３を点検口１０３と対向するように第２の位置に回転させる必要がある。
【００４４】
端子台３を回転させる場合、まず電気工事業者は、図１１に示すように、端子台３の位置を固定しているネジ４６を第２の側面１０ｂ側からの操作で、係止部４４ｂから外す。次に電気工事業者は、突出部４５が本体カバー１１の孔１１ｂに突き当たる位置まで、把持部５を持って端子台３の位置を動かす。このとき、操作部材４は、回転軸４２の凸部４２ａを中心に、操作腕部４３を半径として回転する。端子台３が回転途中のとき、突出部４５は、本体カバー１１の内部に退避する。端子台３は、第１の位置から本体カバー１１の内部を通って、図１２に示す第２の位置まで回転する。端子台を第２の位置まで回転させると、当接部４４ｃが回転規制部１４ｄに当接し、係止部４４ｄとネジ孔１４ｅの位置が合う。
【００４５】
回転後、電気工事業者は、端子台３を第２の側面１０ｂ側からネジ４６で本体カバー１１のネジ孔１４ｅに固定する。端子台３の位置は、係止部４４ｄと、回転規制部１４ｄのネジ孔１４ｅとをネジ４６が締結することによって固定される。これにより、回転軸４２を中心とした端子台３の回転移動動作が規制される。
【００４６】
このように、電気工事業者が操作部４４を動かして、端子台３を第２の位置まで回転させることにより、点検口１０３から端子台３の３個の電線接続口３０が見えるようになる。
【００４７】
本体カバー１１に回転規制部１４ｂ、１４ｄを設け、且つ操作部材４に当接部４４ａ、４４ｃを設けたことにより、端子台３の位置を固定するネジ４６は、端子台３が第１の位置及び第２の位置のどちらにあっても、第２の側面１０ｂの側の側方から操作できる。このため、図５に示す向きで浴室空調装置１００を設置した後、点検口１０３からネジ４６の着脱及び操作部材４の回転操作が可能である。
【００４８】
これにより、浴室空調装置１００を建物に設置した後でも、電気工事業者は、端子台３を配線２の接続や点検等の作業に適した配置に移動させて、使用可能な状態にすることができる。その際に、ドライバーを天井面１２に対して垂直に天井１０４裏に入れる必要がないため、天井１０４が低い場合においても、上述した作業を効率よく行うことができる。また、端子台３の位置を変える作業は、片手でも行える。単一の端子台３及び端子台３を移動させる操作部材４を備えることで上述した効果が得られるので、部品数を抑え、低コストを実現することができる。
【００４９】
浴室空調装置１００を浴室に設置する際に、浴室空調装置１００の施工業者は、排気ダクト１０２の位置を気にして図４または図５に示す浴室空調装置１００の設置方向に応じて端子台３の位置を変更する操作を浴槽の天井１０４に設置する前にする必要がない。そのため、施工業者の作業の負担を軽減することができると共に、端子台３を本体部１０から取り外し、向きを変えて再び取り付ける構造に比べて作業時間を短縮することができる。更に、浴室空調装置１００を浴室に設置する施工業者と、浴室空調装置１００に配線２を接続する電気工事業者の間で、作業の責任区分を明確にすることができる。
【００５０】
上述したように、操作部材４は、端子台３の回転の中心となる回転軸４２に対して端子台３と同一方向側にある。操作部４４は、回転軸４２を中心とし且つ操作腕部４３を半径として回転方向に沿って延在する。図１１に示すように、端子台３が第１の位置にあるとき、操作部材４の操作部４４は、側面１３の内壁に沿う形状で固定される。図１２に示すように、端子台３が第２の位置にあるとき、操作部材４の操作部４４は、本体部１０の第２の側面１０ｂの外壁に沿う形状で固定される。
【００５１】
また、端子台３は、第１の位置から第２の位置まで９０°回転し、その軌跡は、本体カバー１１内にとどまる。このとき、端子台３は、本体カバー１１によって鉛直方向の移動を制限されるので、水平方向にのみ回転する。
【００５２】
これらによって、操作部４４及び端子台３の回転に必要な上面部１０ｃの空間がほぼ一致し、回転前後における端子台３及び操作部材４の稼働スペースは、回転軸４２から端子台３までの範囲にとどまる。操作部４４の軌跡が本体部１０を上から見たとき大きく突出しないから、作動スペースが少なくてすむ。そのため、本体部１０の周囲に、水平方向に操作部４４を移動させるためのスペースを大きく取る必要がない。また、本体部１０の上面部１０ｃの一段下がったスペースも、大きく取る必要がない。そのため、本体部１０内に収納する機器のために広いスペースを確保することができる。
【００５３】
［第２の実施形態］
続いて、第２の実施形態としての浴室空調装置２００の構成例を説明する。第１の実施形態で説明した、浴室空調装置１００の操作部４４と比べて、浴室空調装置２００の操作部６４は、延在方向の長さが長く設定される。浴室空調装置２００において、第１の実施形態の浴室空調装置１００と異なる部分に新たな記号を付し、説明を記載する。浴室空調装置２００において、第１の実施形態の浴室空調装置１００と同一の部分は、その詳細な説明を省略する。
【００５４】
図１５に示す空調装置２００は金属ケースで覆われた本体部１０を備え、建物の天井１０４に設置される。本体部１０は、ダクトジョイント１９を有する。
【００５５】
端子台３の第１の位置及び第２の位置は、第１の実施形態で説明したのと同じ位置であり、本体部１０の第１の側面１０ａ側に対向する端子台３の位置を第１の位置とする。本体部１０の第２の側面１０ｂ側に対向する端子台３の位置を第２の位置とする。本例においても端子台３は、第１の位置から第２の位置に約９０°回転する。
【００５６】
上面部１０ｃには、外部からの配線２を接続して回転可能に支持された端子台３と、端子台３を回転させる操作部６４と、回転移動動作の際に操作部材６を人手により把持される把持部５を備える。上面部１０ｃは、端子台３や操作部材６等を設置する設置空間として本体部１０の天面より一段下がった平面を有する。操作部６４は、操作部材６に備えられる。
【００５７】
図１５に示す操作部材６は、操作部６４が第１の実施形態の操作部材４の操作部４４よりも長く設定される点で操作部材４と異なる。操作部６４を長く設定することにより、端子台３が第１の位置にあるときの把持部５の位置を、より点検口１０３に近づけることができる。そのため、電気工事業者は、より点検口１０３の近くで端子台３の回転操作を行うことができる。
【００５８】
操作部材６は、端子台３の回転の中心となる回転軸６２に対して端子台３と同一の本体側面方向である第３の側面１０ｄ側にある。そのため、回転前後における端子台３及び操作部材６の上面部１０ｃの稼働スペースは、回転軸６２から端子台３までの範囲にとどまる。これにより、従来例と比べて大きな機器を、本体部１０内に収納することができる。
【００５９】
操作部材６は、操作部６４の先端側で把持部５の近傍に、ネジ止め用の当接部６４ａを設ける。当接部６４ａは、溝又は孔からなる係止部６４ｂを有する。当接部６４ａは、端子台３が第１の位置にあるときに第２の側面１０ｂと平行に位置する。当接部６４ａは、端子台３を第１の位置に固定するために設けられる。
【００６０】
操作部６４は、台座部６１ａの把持部５側に、ネジ止め用の当接部６４ｃを設ける。当接部６４ｃは、溝又は孔からなる係止部６４ｄを有する。当接部６４ｃは、端子台３が第２の位置にあるときに第２の側面１０ｂと平行に位置する。当接部６４ｃは、端子台３を第２の位置に固定するために設けられる。
【００６１】
操作腕部６３の裏側の構成は、図１０に示した操作部材４の構成と同じである。
【００６２】
図１５に示すように、本体部１０の上面部１０ｃは、本体カバー２１で覆われる。本体カバー２１は、側面２３の左右隣の側面に、第１の開口部２３ａ、第２の開口部２４ａを設ける。本例の本体カバー２１は、第２の開口部２４ａの開口する方向のみが第１の実施形態の本体カバー１１と異なる構成である。第２の開口部２４ａは、本体部１０の第２の側面１０ｂと平行に開口される。
【００６３】
本体部１０は、第２の開口部２４ａの側面２３側外縁部に、側面２３から本体カバー２１の内側に延びる回転規制部２４ｂを備える。回転規制部２４ｂは、図２に示した第１の実施形態の回転規制部１４ｂと同じ形状を有し、同じ役割をする。回転規制部２４ｂは、第２の側面１０ｂ側からネジ６６が挿入されるネジ孔２４ｃを有する。端子台３が第１の位置にあるとき、回転規制部２４ｂは、操作部材６の当接部６４ａと当接する。回転規制部２４ｂのネジ孔２４ｃと、当接部６４ａの係止部６４ｂとがネジ６６で締結されることで回転前の端子台３及び操作部材６の回転を規制する。
【００６４】
図１６に示すように、本体部１０は、第２の開口部２４ａの第２の側面１０ｂ側外縁部に、回転規制部２４ｄを備える。回転規制部２４ｄは、図２に示した回転規制部１４ｄと同じ形状を有し、同じ役割をする。回転規制部２４ｄは、第２の側面１０ｂ側からネジ６６が挿入されるネジ孔２４ｅを有する。図１６に示すように端子台３が第２の位置にあるとき、回転規制部２４ｄは、端子台３の台座部６１ａの当接部６４ｃと当接する。回転規制部２４ｄのネジ孔２４ｅと、当接部６４ｃの係止部６４ｄとがネジ６６で締結されることで回転後の端子台３及び操作部材６の回転を規制する。
【００６５】
本例において、操作部６４の延在方向の長さが長く設定されるため、端子台３が第１の位置にあるとき、ネジ６６の固定位置が第１の実施形態におけるネジ４６の固定位置よりも点検口１０３に近くなる。これにより、電気工事業者は、より容易にネジ６６を外せるようになる。
【００６６】
なお、端子台３の回転方向は、上述した方向に限られない。浴室空調装置２００の変形例として、図１７に浴室空調装置２００’を示す。浴室空調装置２００’の端子台３は、図中の実線で示す、ダクトジョイント１９の反対側の第３の側面１０ｄに対向する位置から、図中の点線で示す第２の側面１０ｂに対向する位置まで回転する構成であってもよい。この場合、操作部材６’の操作部６４’は、端子台３の向きに対して垂直かつ上面部１０ｃに対して水平に台座部６１ａ’から延在する。また、端子台３の回転する角度は、直角又は鋭角に限られず、任意の角度で回転する構成としてもよい。
【００６７】
また、操作部材６の移動動作は回転移動動作に限られない。例えば、操作部材６の変形例として図１８に操作部材６”を示す。図中の一点鎖線で示す軌跡３３を端子台３が移動する場合について、以下で説明する。このとき、端子台３の移動経路の回転軸は、仮想軸Oから仮想軸O’まで移動する。
【００６８】
操作部材６”は、端子台３を、本体部１０の上面部１０ｃ（図１５参照）に移動可能に支持する。操作部材６”は、端子台３を収納する台座部６１ａ”と、端子台３の移動を導くガイド軸６２”と、ガイド軸６２”から延在する操作腕部６３”と、端子台３を移動させる操作部６４”と、操作部６４”を人手により把持される把持部５を備える。操作部６４”は、端子台３の移動経路の仮想軸O、O’に対して端子台３と同一の本体側面方向にある。
【００６９】
図１６に示した本体カバー２１の天井面２２には、図１８の点線に示すように、端子台３の移動を導くガイド孔２２ａ”を設ける。ガイド孔２２ａ”にガイド軸６２”の凸部６２ａ”が取り付けられる。ガイド軸６２”がガイド孔２２ａ”に沿って移動することによって、端子台３が、軌跡３３に沿って移動するようになる。
【００７０】
本例において、このガイド軸６２”は、操作腕部６３”に対して台座部６１ａ”と反対側に設けられるが、これに限られない。例えば、ガイド軸６２”は、端子台３の台座部６１ａ”の鉛直上方に設けられても良い。このとき、操作腕部６３”を不要とするため、端子台３の収納及び移動に必要なスペースの更なる省スペース化が実現できる。
【産業上の利用可能性】
【００７１】
本発明は、住宅等の建物の天井に設置される空調装置や換気扇等の設備機器に適用して極めて好適である。
【符号の説明】
【００７２】
３  端子台
４，６，６’，６”  操作部材
５  把持部
１０  本体部
１０ａ  第１の側面
１０ｂ  第２の側面
１０ｃ  上面部
１０ｄ  第３の側面
１３ａ，２３ａ  第１の開口部
１４ａ，２４ａ  第２の開口部
１４ｂ，１４ｄ，２４ｂ，２４ｄ  回転規制部
４２  回転軸
４４ａ，４４ｃ，６４ａ，６４ｃ  当接部
４４ｂ，４４ｄ，６４ｂ，６４ｄ  係止部
１００，２００，２００’  浴室空調装置
【図１】
0006464806.tif 000002
【図２】
0006464806.tif 000003
【図３】
0006464806.tif 000004
【図４】
0006464806.tif 000005
【図５】
0006464806.tif 000006
【図６】
0006464806.tif 000007
【図７】
0006464806.tif 000008
【図８】
0006464806.tif 000009
【図９】
0006464806.tif 000010
【図１０】
0006464806.tif 000011
【図１１】
0006464806.tif 000012
【図１２】
0006464806.tif 000013
【図１３】
0006464806.tif 000014
【図１４】
0006464806.tif 000015
【図１５】
0006464806.tif 000016
【図１６】
0006464806.tif 000017
【図１７】
0006464806.tif 000018
【図１８】
0006464806.tif 000019